(57)【要約】      （修正有）【課題】コンクリート建築物の建設の際、打設後の建築物内に太陽光を取り込むことができるスラブ貫通口封鎖板を提供する。【解決手段】スラブ貫通口封鎖板３０は、コンクリート建築物の床スラブ１１における貫通口１２の上端部に形成された段部１５に支持され、貫通口を封鎖する封鎖板であって、貫通口の形状に対応させて形成された、光を透過する板状部材３１と、板状部材の一方の面３４に設けられ、段部に当接して下方から板状部材を支持する棒状部材３２とを備える。【選択図】図３
0003221306.tif 000002
【実用新案登録請求の範囲】
【請求項１】
コンクリート建築物の床スラブにおける貫通口の上端部に形成された段部に支持され、前記貫通口を封鎖するスラブ貫通口封鎖板であって、
前記貫通口の形状に対応させて形成された、光を透過する板状部材と、
前記板状部材の一方の面に設けられ、前記段部に当接して下方から前記板状部材を支持する棒状部材と
を具備することを特徴とするスラブ貫通口封鎖板。
【請求項２】
前記板状部材が、矩形の平板で構成され、
前記棒状部材が複数備えられ、各前記棒状部材が前記平板の短辺の長さに相当する長さに形成され、各前記棒状部材が前記平板の短辺に平行かつ前記平板の長辺の延びる方向に所定の間隔で配置されていることを特徴とする請求項１記載のスラブ貫通口封鎖板。
【請求項３】
前記板状部材が、樹脂材料で構成されていることを特徴とする請求項１または２記載のスラブ貫通口封鎖板。
【請求項４】
前記スラブ貫通口封鎖板を前記貫通口に設置した際、前記スラブ貫通口封鎖板の上面と、前記床スラブの上面とが同一平面上にあることを特徴とする請求項１乃至３のいずれか１項記載のスラブ貫通口封鎖板。
【請求項５】
前記板状部材の上面に、滑り止め部材がさらに備えられていることを特徴とする請求項１乃至４のいずれか１項記載のスラブ貫通口封鎖板。
【考案の詳細な説明】
【技術分野】
【０００１】
本考案の実施形態は、スラブ貫通口封鎖板に関する。
【背景技術】
【０００２】
複数階からなるコンクリート建築物の建設において、基礎上に１階の壁および１階の天井スラブ（２階の床スラブとしても機能する。）を１回の打設工程において形成する。なお、打設工程とは、壁や天井などを形成するための型枠内にコンクリートを流し込む工程をいう。
【０００３】
上記した１階の打設工程において、天井スラブ（床スラブ）には、資材などを上階へ移動させるための貫通口が形成される。この貫通口は、床スラブの上面と下面とを貫通する、例えば水平断面形状が矩形の貫通穴で構成される。
【０００４】
ここで、上記した貫通口は、次のように形成される。打設工程においてコンクリートを流し込む際、貫通口を形成する位置に、貫通口の形状に相当する型部材を設置する。そして、コンクリートが崩れない程度に硬化した後、型部材を取り外すことで貫通口が形成される。
【０００５】
続いて、１階の壁および１階の天井スラブを構成するコンクリートが硬化した後、１階の打設工程と同様に、２階の壁および２階の天井スラブ（２階が最上階でない場合には、３階の床スラブとしても機能する。）を１回の打設工程において形成する。
【０００６】
なお、２階が最上階でない場合には、２階の天井スラブ（３階の床スラブとしても機能する。）に、１階の天井スラブ（２階の床スラブ）と同様に、貫通口が形成される。
【０００７】
そして、上記した打設工程を繰り返すことで、複数階からなるコンクリート建築物が建設される。
【０００８】
天井スラブ（床スラブ）の貫通口は、資材などを移動させるとき以外は安全上の観点から、スラブ貫通口封鎖板によって封鎖されている。従来のスラブ貫通口封鎖板は、金属製や木製の板状部材で構成され、貫通口に嵌め込んで設置される。
【０００９】
このようなコンクリート建築物において、打設後においては、コンクリート建築物内への太陽光の進入が壁部などによって遮られる。また、スラブ貫通口封鎖板は、光を透過しない材料で構成されているため、スラブ貫通口封鎖板を介して太陽光がコンクリート建築物内に進入することはない。
【００１０】
ここで、労働安全衛生規則において、作業場の明るさの基準が規定されている。この労働安全衛生規則によれば、粗な作業の場合には７０（ｌｘ）以上の照度、普通の作業の場合には１５０（ｌｘ）以上の照度が必要であることが規定されている。すなわち、コンクリート建築物内の作業場の明るさがこれらの照度を満たすように維持しなければならない。
【００１１】
しかしながら、打設後のコンクリート建築物においては、太陽光の進入が壁部やスラブ貫通口封鎖板などによって遮られるため、上記した照度を維持することはできない。そこで、コンクリート建築物内において上記した照度を維持するために、複数の照明器具が配置されている。照明器具は、天井スラブの下方側において所定の方向に設けられた電気配線に接続されている。なお、照明器具としては、例えば、電球などが備えられる。
【先行技術文献】
【特許文献】
【００１２】
【特許文献１】特許第２５１２５１７号公報
【考案の概要】
【考案が解決しようとする課題】
【００１３】
上記したように、打設後のコンクリート建築物内は、太陽光を取り込む機能を有しないため、労働安全衛生規則に基づく照度を維持するためには複数の照明器具を配置する必要がある。特に、鉛直方向に延びる壁で囲まれた部屋では、照明器具の配置が必須となる。
【００１４】
また、打設の際および打設後のコンクリート建築物内では、コンクリートに含まれる水が滴下する。滴下した水は、コンクリート建築物内に備えられた照明器具に接触する。そのため、各照明器具には漏電を防止するための漏電防止部材などの備えが必要となる。
【００１５】
このように漏電防止部材を備えた照明器具を多く備えることは、建設過程における設備コストを増加させる。
【００１６】
また、建設過程において、型枠は、コンクリートが硬化した後に外される。この際、コンクリート建築物内に多くの照明器具を備えるため、型枠が照明器具に接触することで、照明器具が頻繁に壊れる。
【００１７】
本考案が解決しようとする課題は、コンクリート建築物の建設の際、打設後の建築物内に太陽光を取り込むことができるスラブ貫通口封鎖板を提供することにある。
【課題を解決するための手段】
【００１８】
実施形態のスラブ貫通口封鎖板は、コンクリート建築物の床スラブにおける貫通口の上端部に形成された段部に支持され、前記貫通口を封鎖する。スラブ貫通口封鎖板は、前記貫通口の形状に対応させて形成された、光を透過する板状部材と、前記板状部材の一方の面に設けられ、前記段部に当接して下方から前記板状部材を支持する棒状部材とを具備する。
【考案の効果】
【００１９】
本考案のスラブ貫通口封鎖板によれば、コンクリート建築物の建設の際、打設後の建築物内に太陽光を取り込むことができる。
【図面の簡単な説明】
【００２０】
【図１】実施の形態のスラブ貫通口封鎖板が設置される貫通口が形成されたコンクリート建築物の斜視図である。
【図２】実施の形態のスラブ貫通口封鎖板が設置されたコンクリート建築物の斜視図である。
【図３】図２のＡ−Ａ断面を示す図である。
【図４】図２のＢ−Ｂ断面を示す図である。
【図５】実施の形態のスラブ貫通口封鎖板の斜視図である。
【図６】実施の形態のスラブ貫通口封鎖板が設置されたコンクリート建築物における、図２のＡ−Ａ断面に相当する断面を模式的に示した図である。
【図７】実施の形態の他の構成のスラブ貫通口封鎖板の斜視図である。
【考案を実施するための形態】
【００２１】
以下、本考案の実施の形態について図面を参照して説明する。
【００２２】
図１は、実施の形態のスラブ貫通口封鎖板３０が設置される貫通口１２が形成されたコンクリート建築物１の斜視図である。図２は、実施の形態のスラブ貫通口封鎖板３０が設置されたコンクリート建築物１の斜視図である。
【００２３】
なお、図１および図２には、コンクリート建築物１の一部の構成が示されている。また、図１および図２には、建設過程におけるコンクリート建築物１の構成が示されている。
【００２４】
図１および図２に示すように、コンクリート建築物１は、鉛直方向に延びる複数の壁１０と、水平方向に延びる複数の床スラブ１１とを備える。また、床スラブ１１には、資材などを上階へ移動させるための貫通口１２が形成されている。
【００２５】
なお、コンクリート建築物１としては、例えば、鉄筋コンクリート建築物などが挙げられるが、これに限られるものではない。コンクリート建築物１としては、コンクリートを用いて建設する建築物であればよい。
【００２６】
床スラブ１１は、下階と上階を区分するもので、下階においては天井スラブとして機能し、上階においては床スラブとして機能する。
【００２７】
次に、スラブ貫通口封鎖板３０および貫通口１２の構成について詳しく説明する。
【００２８】
図３は、図２のＡ−Ａ断面を示す図である。図４は、図２のＢ−Ｂ断面を示す図である。図５は、実施の形態のスラブ貫通口封鎖板３０の斜視図である。
【００２９】
図３および図４に示すように、床スラブ１１に形成された貫通口１２は、床スラブ１１の上面１３と下面１４を貫通する貫通穴で構成される。なお、ここでは、貫通口１２の形状として、水平断面形状が矩形の構成を例示しているが、この形状に限定されるものではない。貫通口１２の水平断面形状は、例えば、正方形、円形、楕円形、多角形などでもよい。
【００３０】
なお、貫通口１２は、例えば、貫通口１２を通して資材などが移動可能な寸法に設定されている。
【００３１】
貫通口１２の上端部には、周方向に亘って段部１５が形成されている。この段部１５は、貫通口１２の上端部の開口を周方向の外側に拡大することで形成されている。段部１５は、鉛直方向に形成される側面１５ａと、水平方向に形成される底面１５ｂとで構成される。すなわち、図３および図４に示す断面において、段部１５はＬ字状に形成されている。
【００３２】
また、段部１５の深さＤ（側面１５ａの長さ）は、スラブ貫通口封鎖板３０を貫通口１２の段部１５に設置した際、スラブ貫通口封鎖板３０の上面（他方の面３５）と、床スラブ１１の上面１３とが同一平面上に位置するように設定される。
【００３３】
このように、スラブ貫通口封鎖板３０の上面と、床スラブ１１の上面１３とが同一平面上に位置するように設定することで、スラブ貫通口封鎖板３０を段部１５に設置したときに、段差が形成されない。これによって、作業者が躓くことなく作業を行うことができる。
【００３４】
なお、壁１０や床スラブ１１において、打設後硬化するまで、型枠が取り付けられた状態が維持される。図３および図４では、型枠の一部である平板４０によって床スラブ１１が下方から支持された状態が示されている。また、型枠の平板４０は、例えば、パイプ４１、角材４２を介して支持部材４３によって下方から支持されている。
【００３５】
コンクリートが硬化後、これらのパイプ４１、角材４２、支持部材４３は取り外される。そして、取り外されたパイプ４１、角材４２、支持部材４３は、例えば、貫通口１２を介して２つ上の上階へ移動される。上階へ移動されたパイプ４１、角材４２、支持部材４３は、その階において床スラブ１１を下方から支持するために使用される。
【００３６】
図３〜図５に示すように、スラブ貫通口封鎖板３０は、板状部材３１と、棒状部材３２とを備える。
【００３７】
ここで、スラブ貫通口封鎖板３０の形状は、貫通口１２の水平断面形状に対応して設定される。具体的には、スラブ貫通口封鎖板３０の形状は、貫通口１２の段部１５の水平断面形状に対応して設定される。ここで、貫通口１２の水平断面形状が、例えば、円形の場合には、スラブ貫通口封鎖板３０の形状は、円形に形成される。
【００３８】
なお、ここでは、貫通口１２の水平断面形状が矩形（長方形）の場合を例示して説明している。
【００３９】
板状部材３１は、光を透過する部材で構成されている。板状部材３１は、例えば、平板状の樹脂材料などで構成される。なお、樹脂材料は、特に限定されるものではなく、光を透過する部材であればよい。樹脂材料は、例えば、アクリル樹脂などで構成される。
【００４０】
板状部材３１に使用される樹脂材料は、例えば、作業者がスラブ貫通口封鎖板３０上に乗ったときでも耐えることができるように、機械的強度や耐衝撃性に優れたものであることが好ましい。また、スラブ貫通口封鎖板３０は屋外環境下で使用されるため、板状部材３１に使用される樹脂材料は、対候性に優れたものであることが好ましい。さらに、板状部材３１に使用される樹脂材料は、傷つきにくい表面強度の高いものであることが好ましい。
【００４１】
板状部材３１は、貫通口１２の段部１５の水平断面形状が矩形であるため、矩形の平板で構成されている。板状部材３１は、段部１５の水平断面の寸法よりも若干小さく設計されている。これによって、貫通口１２へのスラブ貫通口封鎖板３０の取り付けや、貫通口１２からのスラブ貫通口封鎖板３０の取り外しを容易に行うことができる。
【００４２】
また、板状部材３１は、段部１５よりも下方の貫通口１２の開口部よりも大きく形成されている。これによって、スラブ貫通口封鎖板３０は、確実に段部１５の底面１５ｂに支持され、落下することはない。
【００４３】
板状部材３１の厚みは、例えば、作業者がスラブ貫通口封鎖板３０上に乗ったときでも耐える程度の強度を有するように設定される。
【００４４】
板状部材３１の一方の面３４には、図３および図５に示すように、複数の棒状部材３２が設けられている。板状部材３１は、例えば、木材などで形成される。この板状部材３１の長手方向に垂直な断面形状は、例えば、矩形、円形などで構成される。ここでは、板状部材３１の断面形状が矩形の場合を例示している。
【００４５】
棒状部材３２は、図４および図５に示すように、板状部材３１の短辺３１ａの長さに相当する長さに形成されている。すなわち、棒状部材３２の長さは、板状部材３１の短辺３１ａの長さに等しい。
【００４６】
棒状部材３２は、板状部材３１の短辺３１ａに平行、かつ板状部材３１の長辺３１ｂの延びる方向に所定の間隔で配置されている。換言すると、棒状部材３２は、短辺３１ａに平行に配置されるとともに、短辺３１ａに垂直な方向に所定の間隔で配置されている。
【００４７】
棒状部材３２を備えることで、スラブ貫通口封鎖板３０の機械的強度を高めることができる。そのため、スラブ貫通口封鎖板３０を板状部材３１のみで構成するものよりも、板状部材３１の厚さを薄く構成することができる。これによって、スラブ貫通口封鎖板３０の製造コストを削減することができる。
【００４８】
棒状部材３２の長辺３１ｂの延びる方向への設置間隔は、板状部材３１の機械的強度を考慮して適宜設定される。なお、板状部材３１が矩形の場合、図３および図５に示すように、板状部材３１の長辺３１ｂの両端には、少なくとも棒状部材３２が配置される。
【００４９】
ここで、棒状部材３２の設置間隔を小さくすると、板状部材３１の厚さを薄くすることができるが、透明な板状部材３１を介して進入する光量が減少する。そこで、透明な板状部材３１を介して進入する光によって作業現場に必要な照度が維持できるように、板状部材３１の厚みおよび棒状部材３２の設置間隔が設定される。例えば、板状部材３１を介して進入する光量を増加する場合には、板状部材３１の厚みを厚くして、棒状部材３２の設置間隔を大きくする。
【００５０】
棒状部材３２は、スラブ貫通口封鎖板３０を段部１５に設置した際、段部１５の底面１５ｂに当接して下方から板状部材３１を支持する。具体的には、図３および図４に示すように、棒状部材３２の全部または一部が段部１５の底面１５ｂに当接して下方から板状部材３１を支持する。そのため、前述したように、スラブ貫通口封鎖板３０は、確実に段部１５の底面１５ｂに支持され、落下することはない。
【００５１】
また、棒状部材３２は、板状部材３１に、例えば、ネジ、接着剤などによって固定される。
【００５２】
なお、板状部材３１の厚さを調整して、板状部材３１のみでスラブ貫通口封鎖板３０として必要な機械的強度を保持した場合、棒状部材３２は、例えば、段部１５の底面１５ｂに接触する部分のみに設けられてもよい。この場合、板状部材３１は、板状部材３１の一方の面３４において、板状部材３１を介して底面１５ｂに接触する部分のすべてに設けられてもよい。また、板状部材３１は、板状部材３１の一方の面３４において、板状部材３１を介して底面１５ｂに接触する部分に所定の間隔をあけて断続的に設けられてもよい。
【００５３】
ここで、スラブ貫通口封鎖板３０を貫通口１２（段部１５）に設置した際の作用について説明する。
【００５４】
図６は、実施の形態のスラブ貫通口封鎖板３０が設置されたコンクリート建築物１における、図２のＡ−Ａ断面に相当する断面を模式的に示した図である。なお、図６において、進入する太陽光を矢印で示している。
【００５５】
図６には、コンクリート建築物１の建設過程において、打設が完了した上部建築物４５と、それよりも１階下の下部建築物４６を示している。これらの床スラブ１１には、貫通口１２が形成され、この貫通口１２には、スラブ貫通口封鎖板３０が設置されている。
【００５６】
図６に示すように、上部建築物４５のスラブ貫通口封鎖板３０は、屋外に接している。そのため、太陽光は、スラブ貫通口封鎖板３０を介して上部建築物４５内に直接進入する。具体的には、図６の矢印が示すように、太陽光は、スラブ貫通口封鎖板３０における透明な板状部材３１を通過して上部建築物４５内に進入する。
【００５７】
上部建築物４５内に進入した太陽光は、上部建築物４５内に広がり、上部建築物４５内を照らす。
【００５８】
そして、上部建築物４５内に進入した太陽光は、下部建築物４６のスラブ貫通口封鎖板３０における透明な板状部材３１を通過して下部建築物４６内に進入する。
【００５９】
下部建築物４６内に進入した太陽光は、下部建築物４６内に広がり、下部建築物４６内を照らす。
【００６０】
上記したように、実施の形態のスラブ貫通口封鎖板３０は、光を透過することができる。そして、床スラブ１１の貫通口１２に実施の形態のスラブ貫通口封鎖板３０を備えることで、太陽光を積極的にコンクリート建築物１内に取り込むことができる。これによって、打設後のコンクリート建築物１内において、労働安全衛生規則に基づく照度を維持することができる。
【００６１】
また、スラブ貫通口封鎖板３０を介してコンクリート建築物１内に取り込まれた太陽光のみでは労働安全衛生規則に基づく照度を維持することができない場合であっても、図１および図２に示すように、コンクリート建築物１内に設置する照明器具６０の数を減らすことができる。これによって、建設過程における設備コストを削減することができる。
【００６２】
照明器具６０を備える場合、図１および図２に示すように、照明器具６０は、床スラブ１１（天井スラブ）の下方側において所定の方向に設けられた電気配線６１に接続されている。なお、照明器具６０としては、例えば、電球などが備えられる。また、コンクリートから滴下する水との接触による漏電を防止するため、照明器具６０には漏電防止部材が備えられる。
【００６３】
また、スラブ貫通口封鎖板３０を備えることでコンクリート建築物１内に設置する照明器具６０の数を減らすことができため、コンクリートが硬化した後に型枠を外す際、照明器具６０に型枠が接触して照明器具６０を壊す頻度を減らすことができる。
【００６４】
さらに、スラブ貫通口封鎖板３０の板状部材３１を透明な部材で構成することで、作業者がスラブ貫通口封鎖板３０が設置されている位置を容易に認識することができる。これによって、作業者がスラブ貫通口封鎖板３０上に誤って乗ることを抑制できる。
【００６５】
ここで、スラブ貫通口封鎖板３０の形状が、上記説明で例示した矩形以外の形状で形成された場合においても、複数の棒状部材３２が板状部材３１の一方の面３４に設けられる。
【００６６】
この場合においても、棒状部材３２は、所定の間隔をあけて配置される。そして、棒状部材３２は、スラブ貫通口封鎖板３０を段部１５に設置した際、段部１５の底面１５ｂに当接して下方から板状部材３１を支持する。
【００６７】
なお、スラブ貫通口封鎖板３０の形状が矩形以外の形状で形成された場合においても、棒状部材３２を備えることで、スラブ貫通口封鎖板３０の機械的強度を高めることができる。
【００６８】
また、スラブ貫通口封鎖板３０の形状が矩形以外の形状であっても、板状部材３１の厚さを調整して、板状部材３１のみでスラブ貫通口封鎖板３０として必要な機械的強度を保持した場合、前述したように、棒状部材３２は、例えば、段部１５の底面１５ｂに接触する部分のみに設けられてもよい。
【００６９】
ここで、実施の形態のスラブ貫通口封鎖板３０の構成は、上記した構成に限られるものではない。図７は、実施の形態の他の構成のスラブ貫通口封鎖板３０の斜視図である。
【００７０】
図７に示すように、スラブ貫通口封鎖板３０の板状部材３１の他方の面３５に滑り止め部材５０を備えてもよい。
【００７１】
滑り止め部材５０としては、例えば、広く用いられている滑り止めテープや滑り止めシートを使用することができる。滑り止め部材５０は、作業者が躓くことを防止するため、厚さの薄いものが好ましい。
【００７２】
また、滑り止め部材５０として、例えば、液体状の滑り止め材を使用してもよい。この場合、液体状の滑り止め部材５０は、板状部材３１の他方の面３５に塗布される。
【００７３】
滑り止め部材５０は、例えば、板状部材３１の短辺３１ａの長さに相当する長さに構成される。滑り止め部材５０は、例えば、板状部材３１の短辺３１ａに平行、かつ板状部材３１の長辺３１ｂの延びる方向に所定の間隔で配置されている。換言すると、滑り止め部材５０は、例えば、短辺３１ａに平行に配置されるとともに、短辺３１ａに垂直な方向に所定の間隔で配置されている。
【００７４】
滑り止め部材５０を備えることで、板状部材３１上に作業者が乗った場合においても、滑ることなく安全に作業を行うことができる。
【００７５】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００７６】
１…コンクリート建築物、１０…壁、１１…床スラブ、１２…貫通口、１３…上面、１４…下面、１５…段部、１５ａ…側面、１５ｂ…底面、３０…スラブ貫通口封鎖板、３１…板状部材、３１ａ…短辺、３１ｂ…長辺、３２…棒状部材、３４…一方の面、３５…他方の面、４０…平板、４１…パイプ、４２…角材、４３…支持部材、４５…最上部建築物、４６…下層部建築物、５０…滑り止め部材、６０…照明器具、６１…電気配線。
【図１】
0003221306.tif 000003
【図２】
0003221306.tif 000004
【図３】
0003221306.tif 000005
【図４】
0003221306.tif 000006
【図５】
0003221306.tif 000007
【図６】
0003221306.tif 000008
【図７】
0003221306.tif 000009